(57)【要約】      （修正有）【課題】照明具を取付面に取り付けるための照明具用取付具であって、様々な取付面の状況に応じて、取付面に適した態様で照明具を取り付けられるものを提供する。【解決手段】裏面に条溝を有する照明具２を取付面に取り付ける照明具用取付具１は、ネジ止め用の貫通孔を有する本体と、条溝に係止する係止爪とからなり、係止爪は、本体から直角に立設した立設部を有する。立設部には、幅方向の一端側に円弧状の切欠部が形成され、係止爪の立設部には、幅方向の一端側であって、係合爪の立設部に設けられた切欠部とは逆向きの一端側に円弧状の切欠部が形成されている。これにより係止爪を条溝に係止させた状態で、照明具２に対して照明具用取付具１を回転させられる。【選択図】図１
2015125976.tif 000002
【特許請求の範囲】
【請求項１】
発光素子を搭載した回路基板と、
当該発光素子の搭載面の裏面側に設けられ、当該回路基板の長さ方向に沿って延びると共に、間隙をおいて離間する一対の縁辺部から内側へ屈曲した舌片部が形成された断面略Ｕ字状の条溝と、を有する照明具に対し、縦横自在に取り付けられると共に、当該照明具を取付面に取り付けるための取付具であって、
略長方形状からなり、両端部にネジ止め用の第一の貫通孔を有する平板状の本体と、
上記本体の一面側に設けられ、上記照明具の条溝の舌片部に係止する一対の係止爪と、からなり、
上記一対の係止爪は夫々、
上記本体から直角に立設した立設部と、
上記立設部の先端に設けられ、上記立設部の幅方向の両側端部と、上記立設部の厚み方向の端部のうち、他方の立設部から離れた側の端部の三方から略鍔状に外側へ張り出すと共に、先端に向かって尖形状に形成された係止部と、を有し、
上記一対の係止爪のうち、一の係止爪の立設部には、上記条溝への係止方向と直交する幅方向の一端側に、円弧状に切り欠かれた切欠部が形成され、他の係止爪の立設部には、上記条溝への係止方向と直交する幅方向の一端側であって、上記一の係合爪の立設部に設けられた切欠部とは逆向きの一端側に、円弧状に切り欠かれた切欠部が形成されており、
上記係止爪を上記条溝に係止させた状態で、上記照明具に対して回転自在に設けられている、
ことを特徴とする照明具用取付具。
【請求項２】
上記照明具は、上記条溝の両端を閉止する閉止部材、をさらに有しており、
上記本体の長手方向の一端部には、上記本体から直角に立設し、上記照明具の条溝の開口幅よりも僅かに小さい幅の立設片が設けられており、
上記照明具に対して縦向きに取り付けられた場合において、上記立設片は、上記照明具の条溝の開口部に嵌合すると共に上記閉止部材に内側から当接し、又は上記閉止部材の外側から当接し、上記閉止部材を介して、上記照明具の長さ方向の動きを規制する、
請求項１記載の照明具用取付具。
【請求項３】
上記一対の係止爪は夫々、上記本体の略中央の幅方向の両側端部から、互いに近接する向きに延出した延出部、をさらに有し、
上記立設部は、上記延出部の先端から直角に立設しており、
上記本体には、上記一対の係止爪の間、及び上記一対の係止爪の延出部の両側を刳り貫いて形成された第二の貫通孔が設けられている、
請求項１又は２記載の照明具用取付具。
【請求項４】
上記本体の表面には、短手方向の中心を通って長手方向に延びる中心線が刻設又は描かれている、
請求項１乃至３いずれかの項に記載の照明具用取付具。
【請求項５】
上記本体には、上記係止爪が設けられている面とは反対の面に、上記係止爪が上記照明具の条溝に係止した際の回転方向を示す標識が設けられている、
請求項１乃至４いずれかの項に記載の照明具用取付具。
【発明の詳細な説明】
【技術分野】
【０００１】
本発明は、照明用又は表示用の照明具を壁面や棚板等の取付面に取り付けるための取付具に関する。
【背景技術】
【０００２】
従来、ショーケースや商品陳列棚に置かれた商品をきれいに見せたり、空間を所定のイメージに演出したりするために照明が用いられている。
近年では、照明用の光源として、電球などに変わって発光ダイオード（ＬＥＤ）が用いられているところ、その明るさや節電効果、さらには素子の小ささからくる設計の自由度など、複数の理由と相俟って、様々な場面でこのような照明が施されている。
【０００３】
この点、特許文献１では、棚板に照明光源としてのＬＥＤを配設してなり、棚板の後縁面部に配設凹部を設け、複数個のＬＥＤを並列配置してなる長尺状のＬＥＤユニットを形成し、ＬＥＤユニットを配設凹部に配設してなる棚板用の照明構造が提案されている。
【０００４】
【特許文献１】特開２００７−１０３８８６号公報
【発明の開示】
【発明が解決しようとする課題】
【０００５】
上記特許文献１に示されるように、棚板の後縁面部に設けた凹部に照明具を配設するなど、現在では様々な要望のもとに、照明が配設される場所も多様になっている。
【０００６】
しかしながら、照明具を取り付ける取付面の状況によっては、照明具の取り付けが困難であったり、取付強度を確保するのが難しかったりする場合も少なくない。
また、照明具を取付面に取り付ける際に、所定の取付具を用いる場合、当該取付具が照明具による照明の邪魔になっては困る。
さらに、取付面の状況に応じて、複数の形状の取付具を用意する必要があるとなると、一箇所の施工現場で照明具を多数、取り付けるような場合には、取付具の調達コストも無視できなくなる。
【０００７】
そこで、本発明は、照明具を取付面に取り付けるための照明具用取付具であって、様々な取付面の状況に応じて、取付面に適した態様で照明具を取り付けられるものを提供することを目的とする。
【課題を解決するための手段】
【０００８】
上記目的を達成するため、本発明に係る照明具は、発光素子を搭載した回路基板と、当該発光素子の搭載面の裏面側に設けられ、当該回路基板の長さ方向に沿って延びると共に、間隙をおいて離間する一対の縁辺部から内側へ屈曲した舌片部が形成された断面略Ｕ字状の条溝と、を有する照明具に対し、縦横自在に取り付けられると共に、当該照明具を取付面に取り付けるための取付具であって、略長方形状からなり、両端部にネジ止め用の第一の貫通孔を有する平板状の本体と、上記本体の一面側に設けられ、上記照明具の条溝の舌片部に係止する一対の係止爪と、からなり、上記一対の係止爪は夫々、上記本体から直角に立設した立設部と、上記立設部の先端に設けられ、上記立設部の幅方向の両側端部と、上記立設部の厚み方向の端部のうち、他方の立設部から離れた側の端部の三方から略鍔状に外側へ張り出すと共に、先端に向かって尖形状に形成された係止部と、を有し、上記一対の係止爪のうち、一の係止爪の立設部には、上記条溝への係止方向と直交する幅方向の一端側に、円弧状に切り欠かれた切欠部が形成され、他の係止爪の立設部には、上記条溝への係止方向と直交する幅方向の一端側であって、上記一の係合爪の立設部に設けられた切欠部とは逆向きの一端側に、円弧状に切り欠かれた切欠部が形成されており、上記係止爪を上記条溝に係止させた状態で、上記照明具に対して回転自在に設けられていることを特徴とする。
【０００９】
また、上記照明具は、上記条溝の両端を閉止する閉止部材、をさらに有しており、上記本体の長手方向の一端部には、上記本体から直角に立設し、上記照明具の条溝の開口幅よりも僅かに小さい幅の立設片が設けられており、上記照明具に対して縦向きに取り付けられた場合において、上記立設片は、上記照明具の条溝の開口部に嵌合すると共に上記閉止部材に内側から当接し、又は上記閉止部材の外側から当接し、上記閉止部材を介して、上記照明具の長さ方向の動きを規制するものとしてもよい。
【００１０】
また、上記一対の係止爪は夫々、上記本体の略中央の幅方向の両側端部から、互いに近接する向きに延出した延出部、をさらに有し、上記立設部は、上記延出部の先端から直角に立設しており、上記本体には、上記一対の係止爪の間、及び上記一対の係止爪の延出部の両側を刳り貫いて形成された第二の貫通孔が設けられているものとしてもよい。
【００１１】
また、上記本体の表面には、短手方向の中心を通って長手方向に延びる中心線が刻設又は描かれているものとしてもよい。
【００１２】
また、上記本体には、上記係止爪が設けられている面とは反対の面に、上記係止爪が上記照明具の条溝に係止した際の回転方向を示す標識が設けられているものとしてもよい。
【発明の効果】
【００１３】
本発明に係る照明具用取付具によれば、様々な取付面の状況に応じて、取付面に適した態様で照明具を取り付けることができる。
また、本発明に係る照明具用取付具だけで、様々な取付面に対応できるので、取付面に応じてタイプの異なる照明具用取付具を用意する必要がなく、コスト増加を抑えることができる。
【図面の簡単な説明】
【００１４】
【図１】本発明の実施形態に係る照明具用取付具により、照明具を取付面に取り付けた状態を示した（ａ）一の例、（ｂ）他の例である。
【図２】本実施形態に係る照明具用取付具によって取付面に取り付けられる照明具を示した（ａ）斜視図、（ｂ）断面図である。
【図３】本実施形態に係る照明具用取付具を表面側から示した斜視図である。
【図４】本実施形態に係る照明具用取付具を裏面側から示した斜視図である。
【図５】本実施形態に係る照明具用取付具を示した（ａ）Ａ−Ａ断面図、（ｂ）Ｂ−Ｂ断面図である。
【図６】本実施形態に係る照明具用取付具を示した図５のＣ−Ｃ断面図である。
【図７】本実施形態に係る照明具用取付具により、取付面に照明具を取り付ける一の方法において、取付面に照明具を取り付ける工程を示した斜視図である。
【図８】本実施形態に係る照明具用取付具により、取付面に照明具を取り付ける一の方法において、取付面に照明具を取り付けた状態を示した裏面下方から示した斜視図である。
【図９】本実施形態に係る照明具用取付具により、取付面に照明具を取り付ける一の方法において、取付面に照明具を取り付けた状態を示した裏面上方から示した斜視図である。
【図１０】本実施形態に係る照明具用取付具により、取付面に照明具を取り付ける他の方法において、取付面に照明具を取り付ける工程を示した斜視図である。
【図１１】本実施形態に係る照明具用取付具により、取付面に照明具を取り付ける他の方法において、取付面に照明具を取り付ける工程を示した斜視図であって、（ａ）照明具用取付具を照明具の条溝に挿入させた状態、（ｂ）照明具の条溝に挿入させた照明具用取付具を回転させた状態を示す。
【図１２】本実施形態に係る照明具用取付具により、取付面に照明具を取り付ける他の方法において、取付面に照明具を取り付ける工程を示した部分拡大斜視図であって、（ａ）照明具用取付具を照明具の条溝に挿入させた状態、（ｂ）照明具の条溝に挿入された照明具用取付具を４５度回転させた状態、（ｃ）照明具の条溝に挿入させた照明具用取付具を９０度回転させた状態を示す。
【図１３】本実施形態に係る照明具用取付具により、取付面に照明具を取り付ける他の方法において、取付面に照明具を取り付ける工程を示した斜視図である。
【発明を実施するための最良の形態】
【００１５】
以下、本発明の実施形態に係る照明具用取付具について、図を参照して説明する。
本実施形態に係る照明具用取付具１は、図１に示されるように、一方向に長さを有する棒状の照明具２を壁面や棚板等の取付面に取り付ける略長方形状の金具である。
この照明具用取付具１は通常、一つの照明具２を取付面に取り付けるのに複数個用意され、それぞれが照明具２の発光面とは逆の裏面側に取り付けられると共に、取付面に固定され、これにより照明具２を取付面に取り付ける。
【００１６】
また、この照明具用取付具１は、取付面や施工等の事情に応じ、照明具２に対して縦横いずれかの向きで取り付けることができる。即ち、図１（ａ）に示されるように、照明具２の長さ方向と照明具用取付具１の長さ方向が一致するように、照明具用取付具１を縦にして照明具１を取付面に取り付けることもできるし、図１（ｂ）に示されるように、照明具２の長さ方向と照明具用取付具１の長さ方向が直交するように照明具用取付具１を横にして、照明具２を取付面に取り付けることもできる。
【００１７】
まず、照明具用取付具１によって取付面に取り付けられる照明具２について説明する。
照明具２は図２に示されるように、長尺の角柱形状からなり、主に間接照明として、壁面や棚等の取付面に取り付けて使用される。
この照明具２は、筐体２１、カバー２２、及び閉止部材２３からなる。また、筐体２１とカバー２２は、各々に設けられている係合部２１１、２２１が係合することによって略筒状に一体化され、これによって形成される内部の挿込孔２１ａには、発光素子を搭載した回路基板２０が収容されている。
【００１８】
筐体２１は、断面略Ｈ字状の棒状部材であり、金属や樹脂等の各種の材料によって製造される。
この筐体２１の上面側にはカバー２２が取り付けられ、カバー２２との間に形成される挿通孔２１ａ内には、発光素子を搭載した回路基板２０が収容される。
【００１９】
回路基板２０は、筐体２１の形状に即して、略長方形の平板形状からなり、発光素子を含む各種の電子部品を一面側に搭載している。この回路基板２０は挿通孔２１ａ内に収容されると共に、発光素子の搭載面をカバー２２側に向け、裏面側において筐体２１に接着剤等で接着して取り付けられている。
また、回路基板２０の端部には、回路基板２０上の素子と電気的に接続するリード線２４が取り付けられている。このリード線２４は、閉止部材２３の下端に設けられている導出孔２３ａから外部へ導出されており、外部電源と接続させることができる。
なお、発光素子には、本例では発光ダイオード（LED：Light Emitting Diode）を用いており、発光素子は回路基板２０上に、一定のピッチで複数、搭載されている。
【００２０】
筐体２１の上端部には、筐体２１の長さ方向に沿って、鉤爪状に屈曲した係合部２１１が設けられている。この係合部２１１は、カバー２２の係合部２２１と係合し、これにより、筐体２１の上面側がカバー２２で覆われる。
【００２１】
また、筐体２１の下面側には、筐体２１の長さ方向に沿って、照明具用取付具１が係止する断面略Ｕ字状の条溝２１２が形成されている。
ここで、条溝２１２を形成する筐体２１の下端部において、間隙をおいて離間する一対の縁辺部は内側へ屈曲し、互いに近接する向きに延出して舌片部２１３を形成している。条溝２１２に照明具用取付具１の係止爪１２、１３を係止させた際、係止爪１２、１３の係止部１２３、１３３は、この舌片部２１３に内側から当接する。
【００２２】
一対の舌片部２１３間に形成される開口部２１２ａの開口幅Ｌ１は、照明具用取付具１の立設片１１の横幅Ｌ２（図３、図４参照）よりも僅かに大きく、照明具用取付具１と照明具２の長さ方向を合わせて条溝２１２に照明具用取付具１の係止爪１２、１３を係止させた際には、立設片１１を開口部２１２ａに嵌合させられると共に、長さ方向に摺動させることができる。
【００２３】
カバー２２は、照明具２の発光面側において、筐体２１の上面開口部を覆う部材であり、筐体２１の形状に即して長方形状からなる。
このカバー２２の側端部には、カバー２２の長さ方向に沿って、鉤爪状に屈曲した係合部２２１が設けられている。この係合部２２１は、筐体２１の係合部２１１と係合し、これにより、筐体２１の上面側がカバー２２で覆われる。
なお、カバー２２は、透明あるいは半透明など、透光性を有するガラスや樹脂からなり、回路基板２０上の発光素子から発せられた光を外部に透過させる。
【００２４】
閉止部材２３は、条溝２１２の長さ方向の両端開口部、及び筐体２１とカバー２２によって形成される挿通孔２１ａを閉止する部材であり、筐体２１の両端に取り付けられる。
この閉止部材２３の下端部には、回路基板２０に取り付けられたリード線２１を外部に導出するための導出孔２３ａが設けられている。
【００２５】
次に、照明具用取付具１の構造について詳述する。
照明具用取付具１は図３及び図４に示されるように、長方形状からなる平板状の本体１０、本体１０の一面側の一端部において、本体１０の表面から直角に立設した立設片１１、及び、この立設片１１が設けられている面と同じ本体１０の一面側の略中央部に設けられた一対の係止爪１２、１３から構成される。
【００２６】
本体１０の長さ方向の両端部には夫々、照明具用取付具１を取付面にネジ止めするための貫通孔１ａが形成されている。この貫通孔１ａは、本体１０の短手方向を長辺方向とした略楕円形状からなり、貫通孔１ａに通されたネジと本体１０とを、楕円の長辺方向に沿って相対的にずらし、取付面に対する照明具用取付具１の取付位置を微調整することができる。
【００２７】
また、本体１０の係止爪１２、１３の周囲は、平面視略Ｈ字状に刳り貫かれており、当該刳り貫かれた部分は貫通孔１ｂを形成している。
【００２８】
立設片１１は、本体１０の表裏面のうち、照明具２に取り付けられる面において、長さ方向の一端部に設けられており、照明具用取付具１が照明具２に取り付けられると共に取付面に取り付けられた際、照明具２の閉止部材２３に内側又は外側から当接して、照明具２が長さ方向に動くのを規制する。
この立設片１１は略長方形状からなり、その横幅Ｌ２が、照明具２の条溝２１２の開口幅Ｌ１（図２参照）よりも僅かに小さく、条溝２１２の開口部２１２ａに嵌合させられると共に、嵌合させた状態で、開口部２１２ａを長さ方向に摺動させることができる。
【００２９】
係止爪１２、１３は共に、立設片１１が設けられている面と同じ面において、本体１０の略中央部に設けられており、照明具用取付具１が照明具２に取り付けられる際、照明具２の条溝２１２に挿し込まれて係止する。
この係止爪１２、１３は夫々、図５に示されるように、本体１０の略中央部の幅方向の両側端部から、互いに近接する内向きに延出した延出部１２１、１３１、延出部１２１、１３１の先端から直角に立設した立設部１２２、１３２、及び、立設部１２２、１３２の先端において、略鍔状に外側へ張り出した係止部１２３、１３３からなる。
【００３０】
延出部１２１、１３１の間、及び延出部１２１、１３１夫々の左右両側は刳り貫かれており、当該刳り貫かれた部分は貫通孔１ｂを形成している。そのため、延出部１２１、１３１は夫々、貫通孔１ｂによって周囲の三方が開放されて、本体１０の側端部とのみ繋がっている。
これにより、係止爪１２、１３は、条溝２１２に係止する際、及び、条溝２１２に係止した状態で照明具用取付具１を回転させる際、条溝２１２の舌片部２１３からの抗力を受けて、互いに近接する向きに弾性変形しやすい。その結果、このような係止及び回転の動作を行う際、作業が楽であるし、係止爪１２、１３が弾性変形しきれずに破損することもない。
【００３１】
立設部１２２、１３２には夫々、図６に示されるように、照明具２の条溝２１２への係止方向と直交する幅方向の一端側において、円弧状に切り欠かれた切欠部１２２ａ、１３２ａが設けられている。そのため、切欠部１２２ａ、１３２ａにおいて立設部１２２、１３２は共に、端部に向かって徐々に肉薄になっている。
また、立設部１２２の切欠部１２２ａと、立設部１３２の切欠部１３２ａは、互いに対して逆の向きの端部に設けられている。
立設部１２２、１３２に円弧状の切欠部１２２ａ、１３２ａが形成されていることで、係止爪１２、１３を条溝２１２に係止させた状態で照明具用取付具１をスムーズに回転させることができる。なお、この回転動作に関わる構造の詳細については後述する。
【００３２】
係止部１２３は図５及び図６に示されるように、立設部１２２の先端に設けられており、立設部１２２の幅方向の両側端部と、立設部１２２の厚み方向の端部のうち、他方の立設部１３２から離れた側の端部の三方から略鍔状に外側へ張り出すと共に、先端ないしは上方に向かって尖形状に形成されている。
また、係止部１３３も同様に、立設部１３２の先端に設けられており、立設部１３２の幅方向の両側端部と、立設部１３２の厚み方向の端部のうち、他方の立設部１２２から離れた側の端部の三方から略鍔状に外側へ張り出すと共に、先端ないしは上方に向かって尖形状に形成されている。
【００３３】
この係止部１２３、１３３は、係止爪１２、１３が条溝２１２に係止した際、条溝２１２の舌片部２１３に内側から当接して、照明具２と照明具用取付具１を係止方向において脱離不能に係止する。
【００３４】
このような構成からなる照明具用取付具１は、本体１０の幅が照明具２の幅よりも小さく、照明具用取付具１と照明具２を、その長さ方向が一致する状態に重ねると、照明具用取付具１は照明具２に隠れる。
また、照明具用取付具１は、ポリカーボネート（polycarbonate）からなり、係止爪１２、１３は条溝２１２に係止する際、舌片部２１３からの抗力を受けて互いに近接する向きに一旦、弾性変形し、係止した後は、舌片部２１３からの抗力が除荷されて元の状態に戻る。
なお、照明具用取付具１は、ポリカーボネート等の樹脂のほか、ステンレスやアルミニウム等の金属で構成することもできる。
【００３５】
また、照明具用取付具１の表面、特に照明具２が係止する面には、短手方向の中心を通って長さ方向に延びる中心線を刻設又は描いておいてもよい。これにより、照明具用取付具１によって照明具２を取付面に取り付けるに際して、取付面に対して照明具用取付具１を複数、長さ方向を揃えて一直線上に取り付ける場合に、中心線を目安にすることで、複数の照明具用取付具１を一直線上にまっすぐ取り付けることができる。
また、照明具用取付具１の本体１０には、係止爪１２、１３が設けられている面とは反対の面に、係止爪１２、１３が照明具２の条溝２１２に係止した状態で回転可能な方向を示す標識を設けてもよい。標識は、中心線と同様、本体１０の表面に刻設又は描くことによって設けることができる。
【００３６】
続いて、本実施形態に係る照明具用取付具１を用いて、取付面に照明具２を取り付ける工程について説明する。
ここで、照明具用取付具１は照明具２に対し、互いの長さ方向が一致する縦方向、及び互いの長さ方向が直交する横方向のいずれかの向きに向けられて、取付面に取り付けられる。
まず、図７〜図９を参照して、照明具２に対して照明具用取付具１を縦にした状態で、取付面に照明具２を取り付ける場合について説明する。なお、ここでは特に、地面に対して垂直な壁等を取付面とした場合など、照明具２を鉛直方向に沿って立てた状態で取付面に取り付ける場合について説明する。
【００３７】
この場合は最初に、取付面の所定の位置に、照明具用取付具１を複数、長さ方向を揃えて一直線上に取り付ける。この際には、照明具用取付具１の表面に刻設等された長さ方向の中心線を目安にすることで、各照明具用取付具１を一列に整列した状態に配置した上、貫通孔１ａにネジ３を貫通させ、ネジ３によって照明具用取付具１を取付面に取り付ける。
なお、照明具用取付具１を取付面に取り付ける際には、照明具２の長さに合わせて、少なくとも照明具２の両端に照明具用取付具１が取り付けられるように配置する。また、照明具２の両端の間については、十分な取付強度を担保するのに必要な数の照明具用取付具１を取付面に取り付ける。
【００３８】
そして、取付面に取り付けられた照明具用取付具１に対して照明具２を条溝２１２側から押し当て、照明具用取付具１の係止爪１２、１３を照明具２の条溝２１２に係止させる。
ここで、係止爪１２、１３と条溝２１２の係止によって照明具２を照明具用取付具１に取り付ける際、図８に示されるように、照明具２の下端では、照明具用取付具１の立設片１１が閉止部材２３の外側にくるようにし、立設片１１を閉止部材２３に外側から当接させる。これにより、下端に取り付けられた照明具用取付具１の立設片１１によって照明具２が支持され、照明具２が鉛直方向下方へ落下するのが規制される。
【００３９】
また、同様に係止爪１２、１３と条溝２１２の係止によって照明具２を照明具用取付具１に取り付ける際、図９に示されるように、照明具２の上端では、照明具用取付具１の立設片１１が閉止部材２３の内側にくるようにして立設片１１を条溝２１２に嵌挿させると共に、閉止部材２３に内側から当接させる。これにより、上端に取り付けられた照明具用取付具１の立設片１１によって照明具２が支持され、照明具２が鉛直方向下方へ落下するのが規制される。
【００４０】
以上により、照明具用取付具１によって照明具２を取付面に容易に取り付けることができる。
また、照明具２に対して照明具用取付具１を縦にして取り付けた場合、照明具２を正面から見ると、照明具用取付具１が照明具２に隠れ、見栄えが良い。
また、ネジ３だけでなく、立設片１１によっても、照明具用取付具１が長さ方向に支持されるので、壁等の取付面に照明具２を取り付けた場合、照明具２の落下をより確実に防ぐことができる。
【００４１】
次に、図１０〜図１３を参照して、照明具２に対して照明具用取付具１を横にした状態で、取付面に照明具２を取り付ける場合について説明する。
この場合は最初に、図１０に示されるように、照明具２の端部において、照明具用取付具１の長さ方向と照明具２の長さ方向を一致させた状態で、条溝２１２に係止爪１２、１３を係止させる。この際、立設片１１が閉止部材２３の外側にはみ出すように取り付ける。
【００４２】
それから、図１１（ａ）及び図１２（ａ）に示されるように、係止爪１２、１３が条溝２１２に係止した状態で、照明具用取付具１を９０度回転させる。この際、照明具用取付具１の回転方向は、回転時に、係止爪１２、１３の立設部１２２、１３２に設けられている切欠部１２２ａ、１３２ａが、立設部１２２、１３２が当接していた舌片部２１３に当接する向き（図１２の例では時計回り）である。
【００４３】
この回転動作では、図１２（ｂ）に示されるように、係止爪１２、１３同士が舌片部２１３からの抗力を受けて互いに近接する向きに僅かに弾性変形しつつ、切欠部１２２ａ、１３２ａの円弧状の面に従って、照明具用取付具１が照明具２に対してスムーズに回転する。
【００４４】
照明具２に対して照明具用取付具１を９０度回転させると、図１１（ｂ）及び図１２（ｃ）に示されるように、係止爪１２、１３の立設部１２２、１３２の幅方向の両端部が条溝２１２の舌片部２１３に当接し、立設部１２２、１３２が開口部２１２ａに嵌合した状態となる。
【００４５】
このように立設部１２２、１３２が条溝２１２に嵌合した状態においても、係止部１２３、１３３が立設部１２２、１３２の幅方向にも鍔状に張り出しているため、係止部１２３、１３３が舌片部２１３に内側から当接して係止状態が維持され、照明具用取付具１が照明具２から外れることはない。
【００４６】
このように照明具用取付具１と照明具２が脱離不能に係止した状態で、照明具用取付具１を条溝２１２に沿って摺動させ、所定の位置に配置する。
また、取付強度との兼ね合いから必要な数量だけ、上記した工程と同様の工程を経て、照明具用取付具１を照明具２に係止させる。
そして、このように照明具２に対して照明具用取付具１を横向きに取り付けた状態で、図１３に示されるように、照明具２を照明具用取付具１ごと取付面の所定の位置にあてがった上、貫通孔１ａを介して照明具用取付具１を取付面にネジ止めする。
【００４７】
これにより、照明具２に対して横向きに照明具用取付具１を係止させた状態で、取付面に照明具２を取り付けることができる。
【００４８】
以上の本実施形態に係る照明具用取付具１によれば、照明具２に対して照明具用取付具１を縦又は横の任意の向きに向けて係止させた状態で、当該照明具用取付具１によって照明具２を取付面に取り付けることができる。そのため、照明具２の取り付けに関する施工の自由度が増して便利である。また、複数の取り付け方を一種類の照明具用取付具１によって実現しているので、部材の調達コストを抑えることができる。
【００４９】
なお、以上の本実施形態に係る照明具用取付具１に関し、照明具用取付具１によって取付面に取り付けられる照明具２は、上述した角柱形状のものに限らない。即ち、照明具用取付具１は、照明具用取付具１を取り付けるための条溝２１２を有し、取付面に取り付けられる面とは反対の向きに発光面を有する照明具２について適用可能であり、例えば、照明具２のカバー２２が断面半円状のものについても適用することができる。
【符号の説明】
【００５０】
１        取付具
１ａ      貫通孔
１ｂ      貫通孔
１０      本体
１１      立設片
１２      係止爪
１２１    延出部
１２２    立設部
１２２ａ  切欠部
１２３    係止部
１３      係止爪
１３１    延出部
１３２    立設部
１３２ａ  切欠部
１３３    係止部
２        照明具
２０      回路基板
２１      筐体
２１ａ    挿込孔
２１１    係合部
２１２    条溝
２１２ａ  開口部
２１３    舌片部
２２      カバー
２２１    係合部
２３      閉止部材
２３ａ    導出孔
２４      リード線
３        ネジ
【図１】
2015125976.tif 000003
【図２】
2015125976.tif 000004
【図３】
2015125976.tif 000005
【図４】
2015125976.tif 000006
【図５】
2015125976.tif 000007
【図６】
2015125976.tif 000008
【図７】
2015125976.tif 000009
【図８】
2015125976.tif 000010
【図９】
2015125976.tif 000011
【図１０】
2015125976.tif 000012
【図１１】
2015125976.tif 000013
【図１２】
2015125976.tif 000014
【図１３】
2015125976.tif 000015